(57)【要約】【課題】区画された二つの空間部の通気性を担保しつつ、プライバシーが確保されるドア構造を得る。【解決手段】ドア部材１２のドアハンドル２８、３０にそれぞれ設けられた台座部材４０、４２に、空間部１６と空間部１８を連通可能とする連通孔６０、６２がそれぞれ設けられている。このように、ドア部材１２に連通孔６０、６２を設けて、空間部１６と空間部１８とを連通させるようにすることで、空間部１６と空間部１８を通気させる流路６８を設けることができ、空間部１６と空間部１８の間で通気性が担保される。そして、連通孔６０、６２を通じて、空間部１６から空間部１８が見えないように設定されている。このように、連通孔６０、６２を通じて、空間部１６から空間部１８が見えないように設定されることで、空間部１６から空間部１８が直接見えないため、プライバシーが確保される。【選択図】図２
2019143342.tif 000002
【特許請求の範囲】
【請求項１】
建物の屋内の空間を第１空間部と第２空間部に区画する壁部材と、
前記壁部材に形成された開口部を開閉可能とするドア部材と、
前記ドア部材に設けられ、前記第１空間部と前記第２空間部を連通可能とし、一方側の空間部から他方側の空間部が直接見えないように設定された連通手段と、
を有するドア構造。
【請求項２】
前記連通手段は、前記ドア部材を貫通し当該ドア部材を開閉させるドアハンドルが挿通された挿通孔を前記屋内の空間側から覆い、正面視で前記挿通孔と重ならない位置に連通孔が形成された台座部材である請求項１に記載のドア構造。
【請求項３】
前記台座部材は、
前記ドア部材と対向して設けられ、意匠面を構成する環状の天板部と、
前記天板部の内側かつ当該天板部よりも前記ドア部材側に設けられた環状の奥壁部と、
前記天板部と前記奥壁部を繋ぎ、前記ドア部材の板厚方向に沿って設けられた縦壁部と、
を含んで構成され、
前記連通孔は、前記縦壁部に形成されている請求項２に記載のドア構造。
【請求項４】
前記ドアハンドルは、
前記ドア部材の前記第１空間部側に設けられた第１ドアハンドルと、
前記第１ドアハンドルに連結され、前記ドア部材の前記第２空間部側に設けられた第２ドアハンドルと、
で構成されると共に、
前記台座部材は、
前記第１ドアハンドル側に設けられた第１台座部材と、
前記第２ドアハンドル側に設けられた第２台座部材と、
で構成され、さらに、
前記連通孔は、
前記第１台座部材に形成された第１連通孔と、
前記第２台座部材に形成され、前記第１連通孔と連通する第２連通孔と、
を含んで構成されている請求項２又は請求項３に記載のドア構造。
【請求項５】
前記連通手段は、前記ドア部材を貫通し当該ドア部材の板厚方向に対して交差した状態で形成された貫通孔である請求項１に記載のドア構造。
【発明の詳細な説明】
【技術分野】
【０００１】
本発明は、ドア構造に関する。
【背景技術】
【０００２】
例えば、下記特許文献１には、開閉ドアにおいて、ドア本体に貫通孔を設けることで、遮断性・密閉性・気密性を抑えるようにした技術が開示されている。
【先行技術文献】
【特許文献】
【０００３】
【特許文献１】特開２０００−２３０３５３号公報
【発明の概要】
【発明が解決しようとする課題】
【０００４】
しかしながら、上記特許文献１に記載された先行技術では、ドア本体に貫通孔を形成させるため、当該貫通孔を通じて、ドア部材によって区画された一方の空間側から他方の空間側が直接見えてしまい、プライバシーが確保されない可能性がある。
【０００５】
本発明は上記事実に鑑みてなされたものであり、区画された二つの空間部の通気性を担保しつつ、プライバシーが確保されるドア構造を提供することを目的とする。
【課題を解決するための手段】
【０００６】
上記目的を達成するために、第１の態様に係るドア構造は、建物の屋内の空間を第１空間部と第２空間部に区画する壁部材と、前記壁部材に形成された開口部を開閉可能とするドア部材と、前記ドア部材に設けられ、前記第１空間部と前記第２空間部を連通可能とし、一方側の空間部から他方側の空間部が直接見えないように設定された連通手段と、を有している。
【０００７】
第１の態様に係るドア構造では、建物の屋内の空間が、壁部材によって第１空間部と第２空間部に区画されている。この壁部材には開口部が形成されており、当該開口部はドア部材によって開閉可能とされている。ドア部材には、第１空間部と第２空間部を連通可能とする連通手段が設けられている。この連通手段では、当該連通手段を通じて、一方側の空間部から他方側の空間部が直接見えないように設定されている。
【０００８】
これにより、本態様では、プライバシーが確保される。したがって、本態様によれば、区画された二つの空間部の通気性を担保しつつ、プライバシーを確保することが可能となる。
【０００９】
ここで、例えば、比較例として説明する、「一方側の空間部から他方側の空間部が直接見えるように設定された連通手段」の場合、連通手段において、ドア部材の正面視で一方側の空間部側と他方側の空間部側とが完全に重なっていることを意味する。これに対して、本態様における「一方側の空間部から他方側の空間部が直接見えないように設定された連通手段」では、連通手段において、一方側の空間部側から他方側の空間部側を見ようとした場合、他方側の空間部側が見えにくくなっている場合も含まれる。
【００１０】
したがって、本態様における連通手段において、ドア部材の正面視で一方側の空間部側と他方側の空間部側とが全く重ならないように設定される場合だけでなく、ドア部材の正面視で一方側の空間部側と他方側の空間部側の一部が若干重なっている場合も含まれる。
【００１１】
第２の態様に係るドア構造は、第１の態様に係るドア構造において、前記連通手段は、前記ドア部材を貫通し当該ドア部材を開閉させるドアハンドルが挿通された挿通孔を前記屋内の空間側から覆い、正面視で前記挿通孔と重ならない位置に連通孔が形成された台座部材である。
【００１２】
第２の態様に係るドア構造では、連通手段は台座部材である。台座部材は、ドア部材を貫通し当該ドア部材を開閉させるドアハンドルが挿通された挿通孔を屋内の空間側から覆う部材であり、当該台座部材において、正面視で挿通孔と重ならない位置に連通孔が形成されている。
【００１３】
このように、連通手段を台座部材に設けることにより、ドア部材に連通孔やスリットを設ける場合に比べ、ドア部材のデザイン性を損なうことがない。つまり、当該連通手段を台座部材に設けることによって、ドア部材のデザインが拘束されることはなく、ドア部材のデザインの自由度を向上させることができる。
【００１４】
第３の態様に係るドア構造は、第２の態様に係るドア構造において、前記台座部材は、前記ドア部材と対向して設けられ、意匠面を構成する環状の天板部と、前記天板部の内側かつ当該天板部よりも前記ドア部材側に設けられた環状の奥壁部と、前記天板部と前記奥壁部を繋ぎ、前記ドア部材の板厚方向に沿って設けられた縦壁部と、を含んで構成され、前記連通孔は、前記縦壁部に形成されている。
【００１５】
第３の態様に係るドア構造では、台座部材は環状の天板部と環状の奥壁部と縦壁部とを含んで構成されている。天板部はドア部材と対向して設けられており、意匠面を構成している。また、奥壁部は、天板部の内側かつ当該天板部よりもドア部材側に設けられており、縦壁部によって天板部と奥壁部が繋がれている。この縦壁部は、ドア部材の板厚方向に沿って設けられており、連通孔は、当該縦壁部に形成されている。
【００１６】
例えば、連通孔がドア部材の板厚方向に沿って水平に形成された場合、当該連通孔を通じて、一方側の空間部から他方側の空間部は直接見えてしまう。しかし、ドア部材の板厚方向に沿って設けられた縦壁部に連通孔が形成されることで、連通孔は、ドア部材の板厚方向に対して略直交する方向に沿って形成されることとなる。これにより、当該連通孔を通じて、一方側の空間部から他方側の空間部が直接見えないようにしている。
【００１７】
第４の態様に係るドア構造は、第１の態様又は第２の態様に係るドア構造において、前記ドアハンドルは、前記ドア部材の前記第１空間部側に設けられた第１ドアハンドルと、前記第１ドアハンドルに連結され、前記ドア部材の前記第２空間部側に設けられた第２ドアハンドルと、で構成されると共に、前記台座部材は、前記第１ドアハンドル側に設けられた第１台座部材と、前記第２ドアハンドル側に設けられた第２台座部材と、で構成され、さらに、前記連通孔は、前記第１台座部材に形成された第１連通孔と、前記第２台座部材に形成され、前記第１連通孔と連通する第２連通孔と、を含んで構成されている。
【００１８】
第４の態様に係るドア構造では、ドア部材の第１空間部側には、第１ドアハンドルが設けられ、ドア部材の第２空間部側には、第２ドアハンドルが設けられている。この第２ハンドルは、第１ドアハンドルに連結されている。また、第１ドアハンドル側には、第１台座部材が設けられており、第２ドアハンドル側には、第２台座部材が設けられている。さらに、当該第１台座部材には第１連通孔が形成されており、第２台座部材には第２連通孔が形成されている。そして、この第２連通孔と第１連通孔とが連通している。
【００１９】
第５の態様に係るドア構造は、第１の態様に係るドア構造において、前記連通手段は、前記ドア部材を貫通し当該ドア部材の板厚方向に対して交差した状態で形成された貫通孔である。
【００２０】
第５の態様に係るドア構造では、連通手段はドア部材を貫通する貫通孔であり、当該貫通孔は、ドア部材の板厚方向に対して交差した状態で形成されている。例えば、貫通孔がドア部材の板厚方向に沿って水平に形成された場合、当該貫通孔を通じて、一方側の空間部から他方側の空間部は直接見えてしまう。しかし、本態様では、当該貫通孔は、ドア部材の板厚方向に対して交差した状態で形成されることで、貫通孔を通じて、一方側の空間部から他方側の空間部が直接見えないようにしている。
【発明の効果】
【００２１】
以上説明したように、第１の態様に係るドア構造は、区画された二つの空間部の通気性を担保しつつ、プライバシーを確保することができる、という優れた効果を有する。
【図面の簡単な説明】
【００２２】
【図１】（Ｂ）は、第１実施形態に係るドア構造が適用されたドア部材の正面図であり、（Ａ）は、（Ｂ）において左側から見たときの側断面図である。
【図２】図１（Ａ）の２−２線に沿って切断したときの平断面図である。
【図３】第１実施形態に係るドア構造の要部が拡大された要部拡大斜視図である。
【図４】比較例を示す図１（Ｂ）に対応する正面図である。
【図５】比較例を示す図４の５−５線に沿って切断したときの平断面図である。
【図６】第２実施形態に係るドア構造が適用されたドア部材の正面図である。
【図７】図６の７−７線に沿って切断したときの断面図である。
【図８】比較例を示す図７に対応する断面図である。
【発明を実施するための形態】
【００２３】
以下に図面を参照しながら、本発明の実施の一形態に係るドア構造について説明する。
＜第１実施形態＞
【００２４】
（ドア構造の構成）
まず、本実施の第１実施形態に係るドア構造１０の構成について説明する。
【００２５】
なお、図１（Ｂ）には、本実施の形態に係るドア構造１０が適用されたドア部材１２の正面図が示されており、図１（Ａ）には、図１（Ｂ）に示すドア部材１２を左側から見た側断面図が示されている。また、図２には、図１（Ａ）で示す２−２線に沿って切断したときの平断面図が示されている。
【００２６】
図１（Ａ）、（Ｂ）に示されるように、本実施形態におけるドア構造１０は、ドア部材１２及び壁部材１４を含んで構成されており、壁部材１４によって、例えば、居室と廊下等、隣接する二つの空間部（第１空間部）１６、空間部（第２空間部）１８が区画されている。
【００２７】
また、壁部材１４には、開口部２０が形成されており、当該開口部２０はドア部材１２によって開閉可能とされている。一方、ドア部材１２の下端１２Ａと床部２２の間には、いわゆるアンダーカット部２４が設けられており、当該アンダーカット部２４を通じて、空間部１６と空間部１８とは連通している。
【００２８】
図２に示されるように、ドア部材１２の自由端側の略中央部には、挿通孔２６が貫通しており、当該挿通孔２６には、ドア部材１２の空間部１６側からドアハンドル２８が挿通されると共に、ドア部材１２の空間部１８側からドアハンドル３０が挿通されている。
【００２９】
例えば、ドアハンドル２８、３０は、平面視で略逆Ｌ字状を成しており、把持部３２、３４（図１（Ａ）参照）と軸部３６、３８とを含んでそれぞれ構成されている。把持部３２、３４はドア部材１２と対向し、略水平方向に沿って配置されており、軸部３６、３８はドア部材１２の板厚方向（ｔ方向）に沿って配置されている。ドアハンドル２８とドアハンドル３０は、挿通孔２６を通じて、軸部３６と軸部３８の間で互いに連結されており、当該軸部３６、３８の軸線Ｐを中心に、把持部３２、３４はそれぞれ回動可能とされている。
【００３０】
また、ドア部材１２には、図示はしないがロック機構が設けられており、当該ロック機構によって、ドア部材１２は閉止された状態（ロック状態）が維持される。そして、軸部３６、３８を中心に把持部３２、３４を下方側へ回動させると、ロック機構によるロック状態は解除され、ドア部材１２が開放可能とされる。また、軸部３６、３８を中心に把持部３２、３４が上方側へ回動し当該把持部３２、３４が略水平方向に沿って配置されると、ドア部材１２はロック状態とされ、ドア部材１２は閉止される。
【００３１】
なお、把持部３２、３４には、例えば、図示はしないが、リターンバネが設けられるようにして、把持部３２、３４を下方側へ回動させると、当該リターンバネに付勢力が付与されるようにしてもよい。これによると、把持部３２、３４を下方側へ回動させた状態で当該把持部３２、３４から手を離すと、当該リターンバネの付勢力により、把持部３２、３４を元に位置に復帰させることができる。
【００３２】
ところで、本実施形態では、ドア部材１２の空間部１６側には、ドアハンドル２８が挿通されると共に挿通孔２６を覆う台座部材（第１台座部材）４０が設けられており、ドア部材１２の空間部１８側には、ドアハンドル３０が挿通されると共に挿通孔２６を覆う台座部材（第２台座部材）４２が設けられている。
【００３３】
ここで、図２、図３に示されるように、台座部材４０、４２は、環状の天板部４４、４６と環状の奥壁部４８、５０と縦壁部５２、５４とを含んでそれぞれ構成されている。なお、図３は、台座部材４０側を示す斜視図である。台座部材４０、４２について具体的に説明すると、台座部材４０、４２は、それぞれ有底の円筒状を成しており、台座部材４０、４２の外形は、環状の周壁部５６、５８でそれぞれ形成されている。
【００３４】
周壁部５６、５８の上端からは、当該周壁部５６、５８の内側へ向かって天板部４４、４６がドア部材１２の意匠面と対向してそれぞれ設けられており、それぞれ意匠面を構成している。また、天板部４４、４６の内側かつ当該天板部４４、４６よりもドア部材１２側に、奥壁部４８、５０がそれぞれ設けられており、当該奥壁部４８、５０の内側にドアハンドル２８、３０の軸部３６、３８がそれぞれ挿通されている。
【００３５】
また、天板部４４、４６と奥壁部４８、５０の間は、縦壁部５２、５４によってそれぞれ繋がれている。この縦壁部５２、５４は、ドア部材１２の板厚方向（ｔ方向）に沿ってそれぞれ設けられており、当該縦壁部５２、５４には、連通孔（第１連通孔）６０、連通孔（第２連通孔）６２がそれぞれ形成されている。なお、ここでは、連通孔６０、６２は、正面視で矩形状を成し、台座部材４０、４２の周方向に沿って等間隔に４箇所それぞれ形成されており、連通孔６０の面積と連通孔６２の面積は略同じになるように設定されている。
【００３６】
そして、当該連通孔６０と連通孔６２とが連通している。連通孔６０及び連通孔６２は、ドア部材１２の板厚方向（ｔ方向）に沿ってそれぞれ設けられた縦壁部５２、５４に形成されているため、ドア部材１２の板厚方向（ｔ方向）に対して略直交する方向に沿って形成されている。このため、連通孔６０と連通孔６２は、ドア部材１２の正面視で直接見えないようになっている。
【００３７】
一方、ドア部材１２には、ドアハンドル２８、３０が挿通された挿通孔２６が貫通しており、台座部材４０、４２は、ドア部材１２の空間部１６、１８側からそれぞれ挿通孔２６を覆っている。また、台座部材４０、４２は、それぞれ有底の円筒状を成している。このため、台座部材４０、４２には、内部空間６４、６６がそれぞれ設けられている。
【００３８】
したがって、連通孔６０と連通孔６２は、台座部材４０の内部空間６４、挿通孔２６及び台座部材４２の内部空間６６を通じて連通し（矢印Ａ）、連通孔６０と連通孔６２の間で流路６８を形成している。なお、図面の見やすさを考慮して、矢印Ａは図中左側のみ図示している。
【００３９】
（ドア構造の作用及び効果）
次に、本実施の第１実施形態に係るドア構造１０の作用及び効果について説明する。
【００４０】
図２、図３に示されるように、本実施形態では、ドア部材１２のドアハンドル２８、３０にそれぞれ設けられた台座部材４０、４２に、空間部１６と空間部１８を連通可能とする連通孔６０、６２がそれぞれ設けられている。
【００４１】
このように、ドア部材１２に連通孔６０、６２を設けて、空間部１６と空間部１８とを連通させるようにすることで、図１に示すドア部材１２の下端１２Ａと床部２２の間に設けられたアンダーカット部２４以外に、図２に示されるように、空間部１６と空間部１８を通気させる流路６８を別途設けることができる。これにより、空間部１６と空間部１８の間で通気性が担保され、本実施形態では、風切り音の発生を抑制することができる。
【００４２】
そして、本実施形態ではさらに、この連通孔６０、６２を通じて、空間部１６から空間部１８が直接見えないように設定されている。このように、連通孔６０、６２を通じて、空間部１６から空間部１８が直接見えないように設定されることで、光漏れや音漏れを抑制することができ、プライバシーが確保される。したがって、本実施形態によれば、区画された二つの空間部１６、１８の通気性を担保しつつ、プライバシーを確保することができる。
【００４３】
また、近年、建物において、全館空調システムが採用されつつある。この全館空調システムでは、屋内における温度差を抑制し温度を一定に維持するため、屋内の空気を循環させるように構成されている。
【００４４】
このため、本実施形態では、図２に示されるように、屋内の空間を空間部１６と空間部１８に区画する壁部材１４に設けられたドア部材１２の台座部材４０、４２に、連通孔６０、６２がそれぞれ形成されている。すなわち、当該連通孔６０、６２によって空間部１６と空間部１８を通気させる流路６８を確保することができ、全館空調システムが採用される建物において、当該流路６８を吹出空気のリターン経路として利用することができる。
【００４５】
ところで、本実施形態では、連通孔６０、６２は、台座部材４０、４２にそれぞれ形成されている。台座部材４０、４２は、ドア部材１２を貫通し当該ドア部材１２を開閉させるドアハンドル２８、３０が挿通された挿通孔２６を空間部１６、１８側からそれぞれ覆う部材であり、当該台座部材４０、４２において、正面視で挿通孔２６と直接重ならない位置に連通孔６０、６２がそれぞれ形成されている。
【００４６】
例えば、比較例として、図４では、ドア部材１００が、中央に配置される中央板１０２と、中央板１０２の左右両側に配置される一対の端部用板１０４と、を含んで構成されており、中央板１０２と一対の端部用板１０４とは、接合部材１０５によって接合されている。そして、図５に示されるように、当該中央板１０２の両側端部には、横断面視で凹状に形成された凹状部１０６が設けられ、端部用板１０４の中央板１０２側の側端部には、横断面視で凸状に形成された凸状部１０８が形成されている。
【００４７】
この凸状部１０８が凹状部１０６内に入り込んだ状態で、中央板１０２と一対の端部用板１０４との間には、スリット１１０が形成され、このスリット１１０を通じて通気性を得るようになっている。このように、ドア部材１００にスリット１１０や連通孔（図示省略）を設けると、ドア部材１２のデザインは制限され、デザイン性が損なわれてしまう可能性がある。
【００４８】
しかしながら、本実施形態では、図２、図３に示されるように、空間部１６と空間部１８の間で通気性を得るための連通孔６０、６２を台座部材４０、４２にそれぞれ設けている。これにより、ドア部材１２のデザインが拘束されることはなく、ドア部材１２のデザインの自由度を向上させることができる。また、本実施形態では、ドア部材１２自体ではなく、台座部材４０、４２に連通孔６０、６２がそれぞれ形成されているため、既存のドア部材１２においても本実施形態における適用が可能となる。
【００４９】
ところで、台座部材４０、４２は、環状の天板部４４、４６と、環状の奥壁部４８、５０と、縦壁部５２、５４と、を含んでそれぞれ構成されている。天板部４４、４６はドア部材１２と対向してそれぞれ設けられており、それぞれ意匠面を構成している。また、奥壁部４８、５０は、天板部４４、４６の内側かつ当該天板部４４、４６よりもドア部材１２側にそれぞれ設けられており、縦壁部５２、５４によって天板部４４、４６と奥壁部４８、５０がそれぞれ繋がれている。この縦壁部５２、５４は、ドア部材１２の板厚方向に沿ってそれぞれ設けられており、連通孔６０、６２は、当該縦壁部５２、５４にそれぞれ形成されている。
【００５０】
例えば、比較例として、図示はしないが、連通孔６０、６２が、ドア部材１２の板厚方向（ｔ方向）に沿って水平に形成された場合、ドア部材１２の正面視で当該連通孔６０と連通孔６２は完全に重なり、連通孔６０、６２を通じて、空間部１６から空間部１８は直接見えてしまうことになる。
【００５１】
しかし、本実施形態では、ドア部材１２の板厚方向（ｔ方向）に沿って設けられた縦壁部５２、５４に連通孔６０、６２がそれぞれ形成されることで、連通孔６０、６２は、ドア部材１２の板厚方向（ｔ方向）に対して略直交する方向に沿って形成されることとなる。これにより、本実施形態では、当該連通孔６０、６２を通じて空間部１６から空間部１８が直接見えないようにしている。なお、本実施形態では、連通孔６０の面積と連通孔６２の面積は略同じになるように設定されているが、必ずしも同じ面積である必要はない。
【００５２】
＜第２実施形態＞
次に、第２実施形態について説明する。なお、第１実施形態と略同じ内容については、同じ符号を用いて説明を割愛する。
【００５３】
図６には、本実施の形態に係るドア構造７０が適用されたドア部材７２の正面図が示されており、図７には、図６で示す７−７線に沿って切断したときの断面図が示されている。図６、図７に示されるように、本実施形態では、ドア部材７２の回転中心Ｑ側の上部に、空間部１６と空間部１８を連通させる貫通孔７４が形成されている。そして、ドア部材７２の空間部１６及び空間部１８における貫通孔７４の周辺部には、環状の装飾部材８０が当該ドア部材７２の表面に取付けられている。
【００５４】
この貫通孔７４は、図７に示されるように、ドア部材７２の板厚方向（ｔ方向）に対して高さ方向に交差した状態で形成されている。例えば、ここでは、空間部１６から空間部１８へ向かうにつれて、貫通孔７４は上方側へ向かって傾斜して形成されている。つまり、空間部１６側に位置する貫通孔７４の内縁部７６（内縁上部７６Ａ、内縁下部７６Ｂ）と空間部１８側に位置する貫通孔７４の内縁部７８（内縁上部７８Ａ、内縁下部７８Ｂ）とは、高さ方向の位置が異なっている。
【００５５】
より具体的に説明すると、貫通孔７４の内縁下部７８Ｂの高さは、貫通孔７４の内縁上部７６Ａの高さ以上となるように設定されている。つまり、貫通孔７４の内縁部７６と貫通孔７４の内縁部７８は、ドア部材７２の正面視で重ならないように設定されている。
【００５６】
例えば、比較例として、図８に示されるように、貫通孔２００がドア部材２０２の板厚方向（ｔ方向）に沿って水平に形成された場合、空間部２０４側に位置する貫通孔２００の内縁部２０８と空間部２１０側に位置する貫通孔２００の内縁部２１２とは、高さ方向の位置が同じになる。つまり、貫通孔２００の内縁部２０８と貫通孔２００の内縁部２１２は、ドア部材２０２の正面視で完全に重なっており、当該貫通孔２００を通じて、空間部２０４から空間部２１０は直接見えてしまうこととなる（矢印Ｂ参照）。
【００５７】
これに対して、本実施形態では、図７に示されるように、当該貫通孔７４が、ドア部材７２の板厚方向（ｔ方向）に対して高さ方向に交差した状態で形成され、空間部１６側に位置する貫通孔７４の内縁部７６の高さと空間部１８側に位置する貫通孔７４の内縁部７８の高さを変えることで、貫通孔７４の内縁部７６と貫通孔７４の内縁部７８が、ドア部材７２の正面視で重ならないように設定されている。
【００５８】
これにより、本実施形態では、当該貫通孔７４を通じて、空間部１６から空間部１８が直接見えないようにしている（矢印Ｃ参照）。つまり、本実施形態では、ドア部材７２において、空間部１６と空間部１８を連通させる当該貫通孔７４を当該ドア部材１２の板厚方向（ｔ方向）に対して高さ方向に交差した状態で形成することで、区画された二つの空間部１６、１８の通気性を担保すると共に、当該貫通孔７４を通じて空間部１６から空間部１８が直接見えないようにしてプライバシーを確保している。
【００５９】
なお、本実施形態では、貫通孔７４の内縁下部７８Ｂの高さが、貫通孔７４の内縁上部７６Ａの高さ以上となるように設定され、貫通孔７４の内縁部７６と貫通孔７４の内縁部７８はドア部材７２の正面視で重ならないようにしている。しかし、本実施形態では、貫通孔７４において、貫通孔７４の内縁部７６と貫通孔７４の内縁部７８とが全く重ならないように設定される場合だけでなく、ドア部材７２において、貫通孔７４の内縁部７６側から貫通孔７４の内縁部７８側を見ようとした場合、貫通孔７４の内縁部７８側が見えにくくなっている場合も含まれる。
【００６０】
例えば、図６に示されるように、当該貫通孔７４はドア部材７２の上部に設けられている。このため、図７に示されるように、貫通孔７４を通じて、空間部１６から空間部１８を見ようとした場合、視線は貫通孔７４と同じ高さではなく、貫通孔７４の斜め下方側から貫通孔７４側へ向かう場合が想定される（矢印Ｄ）。
【００６１】
この場合、ドア部材７２において、貫通孔７４の内縁部７６側から貫通孔７４の内縁部７８側を見ようとした場合、貫通孔７４の内縁部７８側は見えにくくなる。したがって、本実施形態では、必ずしも貫通孔７４の内縁下部７８Ｂの高さが、貫通孔７４の内縁上部７６Ａの高さ以上となるように設定されなくてもよく、貫通孔７４の内縁部７６と貫通孔７４の内縁部７８が、ドア部材７２の正面視で一部重なるように設定されてもよい。
【００６２】
なお、この場合、貫通孔７４において、貫通孔７４の内縁部７６と貫通孔７４の内縁部７８とが全く重ならないように設定された場合と比較して、貫通孔７４を通じて、空間部１６側から漏れる光の量が多くなるため、間接照明として利用できる場合もある。
【００６３】
また、本実施形態では、貫通孔７４は、図７に示されるように、ドア部材７２の板厚方向（ｔ方向）に対して高さ方向に交差した状態で形成されているが、貫通孔７４を通じて、空間部１６から空間部１８が直接見えないようにすることができればよいため、これに限るものではない。例えば、図示はしないが、ドア部材７２の板厚方向（ｔ方向）に対して水平方向に交差した状態で貫通孔が形成されてもよい。
【００６４】
さらに、以上説明した本実施の形態の構成は一例であり、本発明は、上記に限定されるものでなく、上記以外にも、その主旨を逸脱しない範囲内において種々変形して実施可能であることは勿論である。
【符号の説明】
【００６５】
１０      ドア構造
１２      ドア部材
１４      壁部材
１６      空間部（第１空間部）
１８      空間部（第２空間部）
２０      開口部
２６      挿通孔（連通手段）
２８      ドアハンドル（第１ドアハンドル）
３０      ドアハンドル（第２ドアハンドル）
４０      台座部材（第１台座部材、連通手段）
４２      台座部材（第２台座部材、連通手段）
４４      天板部（台座部材）
４８      奥壁部（台座部材）
５２      縦壁部（台座部材）
６０      連通孔（第１連通孔、連通手段）
６２      連通孔（第２連通孔、連通手段）
７０      ドア構造
７２      ドア部材
７４      貫通孔（連通手段）
ｔ        板厚方向
【図１】
2019143342.tif 000003
【図２】
2019143342.tif 000004
【図３】
2019143342.tif 000005
【図４】
2019143342.tif 000006
【図５】
2019143342.tif 000007
【図６】
2019143342.tif 000008
【図７】
2019143342.tif 000009
【図８】
2019143342.tif 000010